(57)【要約】【課題】外光の影響による誤判断を防止でき、高度な画像処理を行うことなく、画質への影響を抑止しつつ、表示画面へ物体が近接または接触したことを的確に検出することが可能な表示装置およびその駆動方法、並びに電子機器を提供する。【解決手段】座標取得のための発光期間が形成された発光素子を含む表示素子と光検出素子を複数含む表示部１と、表示素子を制御する第１の制御部１３と、複数の光検出素子の駆動を選択的に制御する第２の制御部１２と、光検出素子で発光素子の発光光を検出して得られた検出信号を処理し座標情報を取得するための信号処理部８と、を有し、第１の制御部１３は、表示素子の発光素子を、画像表示期間と座標情報発光期間に分けて発光させる。【選択図】図２
2010019915.tif 000002
【特許請求の範囲】
【請求項１】
座標取得のための発光期間が形成された発光素子を含む表示素子と光検出素子を複数含む表示部と、
上記表示素子を制御する第１の制御部と、
複数の上記光検出素子の駆動を選択的に制御する第２の制御部と、
上記光検出素子で上記発光素子の発光光を検出して得られた検出信号を処理し座標情報を取得するための信号処理部と、を有し、
上記第１の制御部は、
上記表示素子の発光素子を、画像表示期間と座標情報発光期間に分けて発光させる
表示装置。
【請求項２】
上記信号処理部、第１および第２の制御部に基本となる周波数を提供するクロック生成部と、を有し、
上記第１の制御部は、
上記発光素子を、上記座標情報発光期間中は、信号発光期間と停止期間を含めて発光させ、
信号発光期間においては座標情報としての信号に基本周波数を重畳して発光させる
請求項１記載の表示装置。
【請求項３】
上記座標情報取得のための発光期間が形成された表示素子の発光素子の輝度を制御する第３の制御部を有し、
上記第３の制御部は、
上記座標情報発光期間において、上記表示素子の発光素子の輝度を光検出素子にて検出できる発光輝度に制御する
請求項１または２記載の表示装置。
【請求項４】
上記表示素子は、
上記座標情報発光期間において、座標情報としての信号と基本周波数を重畳する重畳素子を含む
請求項２記載の表示装置。
【請求項５】
上記基本周波数は、インバータータイプの照明器具が発生する周波数を避けた周波数である
請求項２記載の表示装置。
【請求項６】
上記座標情報は、フルビットが０とフルビットが１の情報を除く情報として形成される
請求項１から５のいずれか一に記載の表示装置。
【請求項７】
上記第２の制御部は、
上記発光部の発光素子から発光される信号に含まれる座標情報に同期して光検出素子を選択する
請求項１から６のいずれか一に記載の表示装置。
【請求項８】
上記信号処理部は、
検出信号から基本周波数を抽出する処理と、
基本周波数を除去して座標情報を取得する処理と、を行う
請求項１から７のいずれか一に記載の表示装置。
【請求項９】
上記第２の制御部は、
上記各光検出素子を選択する際、上記光検出素子同士の信号が重畳しないようにギャップ期間を設けて選択動作する
請求項１から８のいずれか一に記載の表示装置。
【請求項１０】
上記第２の制御部は、
上記基本周波数の一周期とギャップ期間を合計した周期の倍以上の周期で座標情報を生成する
請求項９記載の表示装置。
【請求項１１】
上記光検出素子は表示部のブラックマトリックス部に配置され、
上記座標情報は、
上記ブラックマトリックス部からの反射光の検出時にブラックマトリックスからの反射光であることが分かる情報として形成される
請求項１から１０のいずれか一に記載の表示装置。
【請求項１２】
座標情報取得のための上記発光部は、
投光型ライトを含み、
上記発光部の発光素子を制御する上記第１の制御部は発光素子を基本周波数で発光させ、
複数の光検出素子の駆動を選択的に制御する上記第２の制御部は、
信号検出期間と停止期間を含めて上記光検出素子の駆動を選択し、
座標情報である信号と同期して動作する
請求項１から１１のいずれか一に記載の表示装置。
【請求項１３】
表示光を上記表示部に照射するバックライトを有し、
基本となる周波数を複数用い、
基本となる周波数にそれぞれ対応する複数の信号処理部を有し、
上記バックライトからの反射光か上記投光型ライトからの透過光かを認識し、
それぞれに応じたモードで動作する
請求項１２記載の表示装置。
【請求項１４】
座標情報取得動作が不要なとき、座標情報取得のための上記発光部を停止可能な制御機能を含む
請求項１から１３のいずれか一に記載の表示装置。
【請求項１５】
座標取得のための発光期間が形成された発光素子を含む表示素子と光検出素子を複数含む表示部における上記表示素子の発光素子を、画像表示期間と座標情報発光期間に分けて発光させ、
上記座標情報発光期間における上記発光素子の発光光を上記光検出素子で検出し、
検出して得られた検出信号を処理し座標情報を取得する
表示装置の駆動方法。
【請求項１６】
表示装置を有し、
上記表示装置は、
座標取得のための発光期間が形成された発光素子を含む表示素子と光検出素子を複数含む表示部と、
上記表示素子を制御する第１の制御部と、
複数の上記光検出素子の駆動を選択的に制御する第２の制御部と、
上記光検出素子で上記発光素子の発光光を検出して得られた検出信号を処理し座標情報を取得するための信号処理部と、を有し、
上記第１の制御部は、
上記表示素子の発光素子を、画像表示期間と座標情報発光期間に分けて発光させる
電子機器。
【発明の詳細な説明】
【技術分野】
【０００１】
本発明は、表示領域に光センサ素子を備えた表示装置およびその駆動方法、並びに電子機器に関するものである。
【背景技術】
【０００２】
近年、光センサ素子を表示素子領域中に備えた平面表示装置の開発が進んでいる（たとえば、特許文献１〜５参照）。
【０００３】
これらの表示装置は、マトリクス状に各画素が配置され、画素毎に表示素子と光電変換素子として機能する薄膜トランジスタ（以下「ＴＦＴ」と略す）を備え、画像表示を行う一方で、光電変換素子への入射光を利用して情報入力を行い得るように構成されている。
【０００４】
画像表示において、表示素子が液晶表示素子の場合は、光が液晶表示素子を透過することを利用するため、光源となるバックライトまたはフロントライトを備えている。
【０００５】
このように構成された表示装置によれば、同一画面領域にて画像表示と情報入力とを行うことが可能となるため、タッチパネル等に代わる情報入出力デバイスとして活用されることが期待される。
【０００６】
たとえば、携帯電話やデジタルカメラ、ビデオカメラなどの表示部は液晶表示装置とタッチパネルを組み合わせたものがある。
これらの装置では、液晶表示装置上に表示している画像をユーザーが見て判断し操作するわけであるが、表示装置の直上にタッチパネルがあるため、タッチパネルを介することで表示画像を直接操作することが可能である。
【０００７】
しかし、表示装置の画像はタッチパネルを通して見ることになるため、解像度の低下や輝度の低下など画質低下の要素となる。
また、特に、小型の携帯装置においては、厚みや重さが携帯性の重要な要素の一つである。
そのため、上述した構成の表示装置を用いることで、表示画像を直接操作することが可能な上、画質を損なわず、軽量化、薄型化が可能となる。
【０００８】
ところで、上述した構成の表示装置については、たとえば図１（Ａ），（Ｂ）に示すように、ユーザーが画像表示画面上の所望位置近傍に指をかざすと、その指による反射光をその所望位置に対応して配された光電変換素子で検出する。
このような構成を採用することにより、ユーザーが所望する情報の入力を行い得るようにするといった利用形態が考えられる。
ただし、その場合には、情報入力の精度や感度等を優れたものとするために、光電変換素子での反射光の検出結果が外光の大小による影響を受けないようにすることが必要である。
【特許文献１】特開２００４−３１８８１９号公報
【特許文献２】特開２００４−４５７８５号公報
【特許文献３】特開平７−３２５３１９号公報
【特許文献４】特許第４０５５７２２号登録
【特許文献５】特開２００２−２６８６１５号公報
【特許文献６】特開２００７−３０４４５１号公報
【発明の開示】
【発明が解決しようとする課題】
【０００９】
特許文献１〜６の例のように、輝度分布から画像処理により座標情報を得る場合、前述のように外光が影響する誤判断が考えられる。
たとえば、外光への対策を講じた特許文献６では、バックライトオン時とオフ時の反射光の輝度差から、外光を取り除いた輝度情報を得ている。
【００１０】
しかし、この構成では、黒表示時では十分な検出が不可能である。
また、輝度分布から座標情報を取得する場合、高度な画像処理が必要となる。
【００１１】
一方で、自らの発光を探す手段として変調をかけることがよく知られている。
液晶表示素子の場合はバックライトを、自発光素子（有機ＥＬなど）の場合は自発光素子そのものを、変調動作させることも可能だが、画質への影響を懸念する場合がある。
また、自然光に対しては有効だが、インバータータイプの照明下では検出が困難となることが想定される。
さらに、バックライトもしくは自発光素子を変調動作させるためには、表示画像が１フレーム毎に更新されるのに対し、１フレームの更新より速く変化させる必要がある。
【００１２】
本発明は、外光の影響による誤判断を防止でき、高度な画像処理を行うことなく、画質への影響を抑止しつつ、表示画面へ物体が近接または接触したことを的確に検出することが可能な表示装置およびその駆動方法、並びに電子機器を提供することにある。
【課題を解決するための手段】
【００１３】
本発明の第１の観点の表示装置は、座標取得のための発光期間が形成された発光素子を含む表示素子と光検出素子を複数含む表示部と、上記表示素子を制御する第１の制御部と、複数の上記光検出素子の駆動を選択的に制御する第２の制御部と、上記光検出素子で上記発光素子の発光光を検出して得られた検出信号を処理し座標情報を取得するための信号処理部と、を有し、上記第１の制御部は、上記表示素子の発光素子を、画像表示期間と座標情報発光期間に分けて発光させる。
【００１４】
好適には、上記信号処理部、第１および第２の制御部に基本となる周波数を提供するクロック生成部と、を有し、上記第１の制御部は、上記発光素子を、上記座標情報発光期間中は、信号発光期間と停止期間を含めて発光させ、信号発光期間においては座標情報としての信号に基本周波数を重畳して発光させる。
【００１５】
好適には、上記座標情報取得のための発光期間が形成された表示素子の発光素子の輝度を制御する第３の制御部を有し、上記第３の制御部は、上記座標情報発光期間において、上記表示素子の発光素子の輝度を光検出素子にて検出できる発光輝度に制御する。
【００１６】
好適には、上記表示素子は、上記座標情報発光期間において、座標情報としての信号と基本周波数を重畳する重畳素子を含む。
【００１７】
好適には、上記基本周波数は、インバータータイプの照明器具が発生する周波数を避けた周波数である。
【００１８】
好適には、上記座標情報は、フルビットが０とフルビットが１の情報を除く情報として形成される。
【００１９】
好適には、上記第２の制御部は、上記発光部の発光素子から発光される信号に含まれる座標情報に同期して光検出素子を選択する。
【００２０】
好適には、上記信号処理部は、検出信号から基本周波数を抽出する処理と、基本周波数を除去して座標情報を取得する処理と、を行う。
【００２１】
好適には、上記第２の制御部は、上記各光検出素子を選択する際、上記光検出素子同士の信号が重畳しないようにギャップ期間を設けて選択動作する。
【００２２】
好適には、上記第２の制御部は、上記基本周波数の一周期とキャップ期間を合計した周期の倍以上の周期で座標情報を生成する。
【００２３】
好適には、上記光検出素子は表示部のブラックマトリックス部に配置され、上記座標情報は、上記ブラックマトリックスからの反射光の検出時にブラックマトリックスからの反射光であることが分かる情報として形成される。
【００２４】
好適には、座標情報取得のための上記発光部は、投光型ライトを含み、上記発光部の発光素子を制御する上記第１の制御部は発光素子を基本周波数で発光させ、複数の光検出素子の駆動を選択的に制御する上記第２の制御部は、上記発光素子から発光される信号に含まれる座標情報に同期すると共に、信号検出期間と停止期間を含めて上記光検出素子の駆動を選択し、座標情報である信号と同期して動作する。
【００２５】
好適には、表示光を上記表示部に照射するバックライトを有し、基本となる周波数を複数用い、基本となる周波数にそれぞれ対応する複数の信号処理部を有し、上記バックライトからの反射光か上記投光型ライトからの透過光かを認識し、それぞれに応じたモードで動作する。
【００２６】
好適には、座標情報取得動作が不要なとき、座標情報取得のための上記発光部を停止可能な制御機能を含む。
【００２７】
本発明の第２の観点の表示装置の駆動方法は、座標取得のための発光期間が形成された発光素子を含む表示素子と光検出素子を複数含む表示部における上記表示素子の発光素子を、画像表示期間と座標情報発光期間に分けて発光させ、上記座標情報発光期間における上記発光素子の発光光を上記光検出素子で検出し、検出して得られた検出信号を処理し座標情報を取得する。
【００２８】
本発明の第３の観点の電子機器は、表示装置を有し、上記表示装置は、座標取得のための発光期間が形成された発光素子を含む表示素子と光検出素子を複数含む表示部と、上記表示素子を制御する第１の制御部と、複数の上記光検出素子の駆動を選択的に制御する第２の制御部と、上記光検出素子で上記発光素子の発光光を検出して得られた検出信号を処理し座標情報を取得するための信号処理部と、を有し、上記第１の制御部は、上記表示素子の発光素子を、画像表示期間と座標情報発光期間に分けて発光させる。
【００２９】
本発明によれば、第１の制御部により、発光素子が画像表示期間と座標情報発光期間に分けて発光される。
この座標情報発光期間において、発光素子の発光光が光検出素子で検出される。
そして、信号処理部において、光検出素子で検出して得られた検出信号を処理して座標情報が取得される。
【発明の効果】
【００３０】
本発明によれば、光の影響による誤判断を防止でき、高度な画像処理を行うことなく、画質への影響を抑止しつつ、表示画面へ物体が近接または接触したことを的確に検出することが可能となる。
【発明を実施するための最良の形態】
【００３１】
以下、本発明の実施形態を添付図面に関連付けて説明する。
【００３２】
＜第１実施形態＞
図２は、本発明の第２の実施形態に係る画像表示装置の構成例を示すブロック図である。
【００３３】
本画像表示装置Ｄは、画像表示部１、信号線駆動部２、走査線駆動部３、Ｘ軸光検出画素駆動部４、Ｙ軸光検出画素駆動部５、発光駆動部６、制御部７、信号処理部８、およびクロック生成部１０を有する。
【００３４】
画像表示部１には、表示画素１２０および光検出画素１４０がマトリクス状に配置されている。
【００３５】
図３および図４は、本実施形態に係る画像表示部１の構成例を示す図である。
図３および図４は、基本的な構成は同様であり、光検出素子の構成素子が異なる。
【００３６】
＜表示画素１２０の構成＞
表示画素１２０は、図３および図４に示すように、映像信号サンプリング用トランジスタ１２１、保持容量１２２、および自発光素子である有機エレクトロルミネッセンス（ＥＬ:electro-luminescence）素子１２３を有する。さらに、表示画素１２０は、有機ＥＬ素子１２３の駆動用トランジスタ１２７、発光制御用トランジスタ１２８、および発光輝度セット用トランジスタ１３１を有する。
表示画素１２０には、信号線１２４と走査線１２５、電源供給線１２９、発光制御信号線１３０、発光輝度セット線１３２が接続されている。
信号線１２４と電源供給線１２９、発光輝度セット線１３２は信号線駆動部２に接続され、走査線１２５は走査線駆動部３に接続され、発光制御信号線１３０は発光駆動部６に接続されている。
【００３７】
表示画素１２０は、縦横に列設される信号線１２４及び走査線１２５の各交点もしくは近傍に形成される。
有機ＥＬ素子１２３は、カソードが共通信号線１２６に接続されており、共通信号線１２６は、たとえば接地電位ＧＮＤに接続されている。
【００３８】
映像信号サンプリング用トランジスタ１２１は、たとえばＮチャネル型トランジスタにより形成され、ゲートが走査線１２５に、ソースが信号線１２４にそれぞれ接続されている。
有機ＥＬ素子１２３の駆動用トランジスタ１２７は、たとえばＰチャネル型トランジスタにより形成され、ゲートがトランジスタ１２１のドレインに、ソースが電源供給線１２９にそれぞれ接続されている。
電源供給線１２９は、たとえば正電源である。
【００３９】
発光制御用トランジスタ１２８は、たとえばＮチャネル型トランジスタにより形成され、ドレインがトランジスタ１２７のドレインに、ゲートが発光制御信号線１３０に、ソースが有機ＥＬ素子１２３のアノードにそれぞれ接続されている。
保持容量１２２は、トランジスタ１２７のゲート−ソース間に接続されている。
【００４０】
発光輝度セット用トランジスタ１３１は、たとえばＮチャンネル型トランジスタにより形成され、ドレインがトランジスタ１２７のゲートに、ソースが共通信号線１２６に、ゲートが発光輝度セット線１３２にそれぞれ接続されている。
【００４１】
なお、上記トランジスタは、薄膜トランジスタ（ＴＦＴ）を想定しているが、特に、ＴＦＴに限定する必要はない。
【００４２】
このような構成を有する表示画素１２０は、画像を表示する画像表示期間と座標情報を発光する座標情報発光期間を適宜繰り返しながら表示動作をする。
たとえば、１フレーム中、座標情報発光期間を極力短く行い、残りの期間を画像表示期間とし、毎フレーム行う。
ここで、座標情報発光期間の極力短い期間とは、必要な座標情報を送りきれる時間であり、かつ、人の目には認識されない時間である。
【００４３】
＜表示画素１２０の画像表示期間の動作＞
上記構成の表示画素１２０において、トランジスタ１２１は、走査線駆動部３から走査線１２５を通して書込み走査パルスＷＳがゲートに与えられることで、信号線駆動部２から信号線１２４を通して供給される映像信号Ｓｉｇをサンプリングする。
トランジスタ１２１でサンプリングされた映像信号Ｓｉｇは、トランジスタ１２７のゲートに与えられるとともに、保持容量１２２によって画像表示期間にわたって保持される。
トランジスタ１２７は、ゲートに与えられる映像信号Ｓｉｇの信号レベルに応じた駆動電流をトランジスタ１２８を介して有機ＥＬ素子１２３に供給し、有機ＥＬ素子１２３を映像信号Ｓｉｇの信号レベルに対応した輝度で発光することで画像表示が行われていく。
【００４４】
＜表示画素１２０の座標情報発光期間の動作＞
トランジスタ１２８は、発光制御信号線１３０を通してゲートに与えられる発光制御信号に応じてオン／オフ動作を行うことにより、有機ＥＬ素子１２３の出力光を変調して、座標情報を発光する。
トランジスタ１３１は、発光輝度セット線１３２を通してオンすることにより、トランジスタ１２７のゲートに与える信号レベルを最大にする。その信号レベルは、保持容量１２２によって座標情報発行期間にわたって保持される。
【００４５】
＜画像表示期間と座標情報発光期間の動作＞
図５は、表示画素１２０の発光におけるタイミングチャートである。
【００４６】
図５において、画像表示期間において、制御部７の主制御部１４にて生成される画像表示信号線１４１０がローレベル（Ｌ）の期間において、次の処理が行われる。
走査線駆動部３による走査によって順に発生される書込み走査パルスＷＳ（１行目），ＷＳ（２行目），……が、対応する行の走査線１２５（１），１２５（２），……を通して各行の表示画素１２０のトランジスタ１２１のゲートに与えられる。
これにより、トランジスタ１２１によるサンプリングによって１フレーム分の映像信号、すなわちｎ行分の映像信号を取り込み、各表示画素１２０の保持容量１２２にホールドする。
発光制御信号線１３０は、画像表示信号線１４１０に基づいて、全表示画素の保持容量１２２に１フレーム分の画像電荷がホールドされるまで有機ＥＬ素子１２３の発光をとめるための制御を行うための信号が伝播される。
逆に、画像表示信号にて画像表示期間をハイレベル（Ｈ）とすることで、発光制御信号１３０にもハイレベル（Ｈ）の状態が現れ走査パルスＷＳがハイレベル（Ｈ）になると同時に有機ＥＬ素子２３の発光が取り込まれた画像レベルに変わる。
図５では、前者の例を示している。
【００４７】
画像表示期間において、発光制御信号線１３０を制御し、発光期間と非発光期間を設ける場合、両者の比は、画像表示時のホワイトバランスを崩さないようにするために、いずれのフレームにおいても各表示画素間で等しくなるように設定する。
その後の、座標情報発光期間において、発光輝度セット線１３２をハイレベル（Ｈ）にしてトランジスタ１３１をオンし、トランジスタ１２７のゲートを共通信号線１２６と同電位にする。共通信号線１２６は、たとえばグランド電位であるので、保持容量１２２には、最大輝度相当の電荷が蓄えられる。
その後、発光輝度セット線１３２をローレベル（Ｌ）にしてオフすることで、保持容量１２２には最大輝度相当の電荷が保持される。
つまり、トランジスタ１２７は最大輝度レベルの電流を有機ＥＬ素子１２３に流せる状態となる。
発光制御信号線１３０により、主制御部１４にて生成される座標取得期間信号に基づいて信号Ｌｉｇｈｔ＿Ｅｎ１３５０、Ｌｉｇｈｔ＿Ｓｉｇ１３４０、クロックＳｙｓＣｌｋ１０２０に応じて生成した信号を各表示画素１２０のトランジスタ１２８のゲートに与える。
これにより、トランジスタ１２８によって有機ＥＬ素子１２３が出力光に座標情報を乗せて発光する。
【００４８】
上述の例では、発光輝度セット線１３２のローレベル（Ｌ）期間を最大輝度レベルになるまでとしたが、特に限定する必要はなく、ローレベル（Ｌ）期間を任意の輝度レベルとなるように合わせてもよい。
上述の例では、画像表示期間の後に座標情報発光期間を設けているが、特に限定する必要はなく、座標情報発光期間を先にしてもよい。
【００４９】
＜光検出画素１４０の構成＞
光検出画素１４０は、図３および図４に示すように、光検出素子１４１およびＸ軸出力選択トランジスタ１４２により構成される。
光検出素子１４１は、たとえば図３に示すようにフォトダイオード１４１Ａにより構成され、あるいは図４に示すように、フォトトランジスタ１４１Ｂにより形成される。
Ｘ軸出力選択トランジスタ１４２は、光検出素子１４１の出力を光検出画素Ｘ軸出力信号線１４３に選択的に出力する。
光検出素子１４１の一端は光検出画素電源線１４４に接続されている。
【００５０】
図３は光検出素子１４１としてフォトダイオード１４１Ａを用いた場合の例を示している。
同様に、図４は、光検出素子１４１としてフォトトランジスタ１４１Ｂを用いた場合の例を示している。
【００５１】
光検出画素１４０には、水平方向に光検出画素Ｘ軸出力信号線１４３と光検出画素電源線１４４が配線され、垂直方向にＸ軸光検出画素制御線１４５が配線されている。
光検出画素Ｘ軸出力信号線１４３の一端と光検出画素電源線１４４の一端はＹ軸光検出画素駆動部５に接続されている。
Ｘ軸光検出画素制御線１４５はＸ軸出力選択トランジスタ１４２のゲートに接続され、その一端はＸ軸光検出画素駆動部４に接続されている。
【００５２】
＜光検出画素１４０の配置＞
光検出画素１４０は、表示画素１２０と必ずしも１対１で配置される必要は無く、表示画素数とは独立した配置構成としてもよい。
第２の実施形態で述べるが、光検出画素を表示画素外のブラックマスク下に配置してもよい。
【００５３】
信号線駆動部２は、入力デジタル画素データを表示素子の駆動に適したアナログ電圧に変換するデジタル／アナログ（Ｄ／Ａ）変換処理を含む。
【００５４】
走査線駆動部３は、走査線１２５を順次選択し、信号線駆動部２と同期をとって表示画素１２０に映像データを書き込む動作を行う。
【００５５】
Ｘ軸光検出画素駆動部４は、制御部７の制御の下、Ｘ軸光検出画素制御線１４５を駆動して、光検出画素１４０における光検出素子１４１の検出結果を光検出画素Ｘ軸出力信号線１４３に読み出す。
【００５６】
Ｙ軸光検出画素駆動部５は、図３および図４に示すように、Ｙ軸出力選択トランジスタ１４６を内蔵している。
Ｙ軸出力選択トランジスタ１４６は、一端が光検出画素Ｘ軸出力信号線１４３と接続され、他端が光検出画素出力信号線１４８に接続され、ゲートがＹ軸光検出画素制御線１４７に接続されている。
【００５７】
Ｙ軸光検出画素駆動部５は、制御部７の制御の下、光検出画素Ｘ軸出力信号線１４３に読み出された光検出素子１４１の検出結果を、光検出画素出力信号線１４８を介して信号処理部８に供給する。
【００５８】
発光駆動部６は、制御部７の制御の下、発光素子を信号発光期間と停止期間を備えて発光させ、信号発光期間においては信号に基本周波数を重畳して発光させる。
なお、基本周波数は、たとえばインバータータイプの照明器具が発生する周波数を避けた周波数である。
【００５９】
制御部７は、信号線駆動部２および走査線駆動部３を制御して表示画素１２０の駆動制御を行い、Ｘ軸光検出画素駆動部４およびＹ軸光検出画素駆動部５を制御して光検出画素１４０の駆動制御を行う。
また、制御部７は、発光駆動部６の発光制御を行う。
【００６０】
信号処理部８は、Ｙ軸光検出画素駆動部５からの出力を受けて、信号処理結果を出力信号として出力している。
なお、本実施形態において、信号は座標情報であり、フルビットが０とフルビットが１は座標情報として用いない。
【００６１】
クロック生成部１０は、各ブロックへＳｙｓＣｌｋ１０２０と４ＳｙｓＣｌｋ１０４０を提供する。
【００６２】
なお、電源部は図示していないが、電源部により各ブロックに駆動電力を供給される。
【００６３】
以下、本実施形態における制御部７、光検出駆動部４，５、発光駆動部６、クロック生成部１０、および信号処理部８の具体的な構成および機能について説明し、その後所定の動作について説明する。
【００６４】
制御部７は、図２に示すように、画像表示制御部１１、第２の制御部としての光検出画素駆動用制御部１２、第１および第３の制御部としての発光用制御部１３、および主制御部１４を有する。
【００６５】
制御部７の画像表示制御部１１は、画素データ線や制御信号線により信号線駆動部２と走査線駆動部３を駆動制御する。
制御部７の光検出画素駆動用制御部１２は、Ｘ軸光検出画素駆動部４とＹ軸光検出画素駆動部５を制御する。
制御部７の発光用制御部１３は、発光駆動部６の発光制御を行う。
制御部７の主制御部１４は、画像表示制御部１１、光検出画素駆動用制御部１２、発光用制御部１３にそれぞれ、画像表示期間の信号、座標情報発光期間の信号を伝達し、制御する。
【００６６】
図６は、本実施形態に係る制御部７の光検出画素駆動用制御部１２、および発光用制御部１３の構成例を示す図である。
【００６７】
光検出画素駆動用制御部１２は、図６に図示すように、座標ビット数生成部１２１０、Ｘ座標生成部１２２０、およびＹ座標生成部１２３０により構成される。
【００６８】
座標ビット数生成部１２１０は、１画素のビット数を設定する座標ビット数レジスタ１２１０と、設定する座標ビット数がｊとすると、ｊまでカウントするｊ進カウンタ１２１２と、ＡＮＤ素子１２１３により構成される。
【００６９】
座標ビット数レジスタ１２１１は、図示してはいないが、マイクロコンピュータ（以下、マイコンという）もしくはスイッチ等によって設定される。
ＡＮＤ素子１２１３は、クロック生成部１０にて生成されたクロック４ＳｙｓＣｌｋ１０４０と主制御部１４にて生成される座標取得期間信号線１４２０を伝播された座標取得期間信号を入力とし、出力信号をｊ進カウンタ１２１２のクロック端子に供給する。
ｊ進カウンタ１２１２は、ＡＮＤ素子１２１３にて生成される出力信号を入力としてカウントし、キャリア信号ｂＣａ１２４０をＸ軸およびＹ軸光検出画素駆動部４，５に出力する。
【００７０】
Ｘ座標生成部１２２０は、水平光検出画素数を設定する水平光検出画素レジスタ１２２１と、設定する水平光検出画素数がｎとすると、ｎまでカウントするｎ進カウンタ１２２２とにより構成される。
水平光検出画素数レジスタ１２２１は図示してはいないが、マイコンもしくはスイッチ等によって設定される。
【００７１】
ｎ進カウンタ１２２２は、ＡＮＤ素子１２１３にて生成される出力信号をクロック端子に供給され、ｊ進カウンタ１２１２からのキャリア信号ｂＣａ１２４０を入力としてカウントし、カウント情報であるＸ軸座標情報１２５０とキャリア信号１２２３を出力する。
ｎ進カウンタ１２２２は、Ｘ軸座標情報１２５０をＸ軸光検出画素駆動部４に出力する。
【００７２】
Ｙ座標生成部１２３０は、垂直光検出画素数を設定する垂直光検出画素レジスタ１２３１と、設定する垂直光検出画素数がｍとすると、ｍまでカウントするｍ進カウンタ１２３２とにより構成される。
【００７３】
垂直光検出画素数レジスタ１２３１は、図示してはいないが、マイコンもしくはスイッチ等によって設定される。
ｍ進カウンタ１２３２は、ＡＮＤ素子１２１３にて生成される出力信号がクロック端子に供給され、ｎ進カウンタ１２２２からのキャリア信号１２２３を入力としてカウントし、カウント情報であるＹ軸座標情報１２６０とキャリア信号１２３３を出力する。
ｍ進カウンタ１２３２は、Ｙ軸座標情報１２６０をＹ軸光検出画素駆動部５に出力する。
キャリア信号１２３３は、キャリア信号ｂＣａ１２４０とｎ進カウンタ内のキャリア信号とで生成される。
【００７４】
これらの情報の生成方法を、カウンタを例に説明したが、特に、限定する必要はなく、マイコンで生成するなど他の方法を用いてもよい。
【００７５】
発光用制御部１３は、図６に図示すように、ＡＮＤ素子１３０１、座標情報変換部１３１０、シフトレジスタ部１３２０、および間欠信号生成部１３３０により構成される。
【００７６】
ＡＮＤ素子１３０１は、クロック生成部１０にて生成されたクロック４ＳｙｓＣｌｋ１０４０と主制御部１４にて生成される座標取得期間信号線１４２０を伝播された座標取得期間信号を入力とし、出力信号を生成する。
【００７７】
座標情報変換部１３１０は、１加算処理部１３１１および１３１２により構成されている。
１加算処理部１３１１は、内部にＤフリップフロップＦＦ１を備え、光検出画素駆動用制御部１２で生成したＸ軸座標情報１２５０を入力とし、１加算処理を行う。
１加算処理部１３１１は、１加算処理した結果を、ＡＮＤ素子１３０１にて生成される出力信号に同期して保持する。
１加算処理部１３１１は、保持している値を、Ｘ値１３１３としてシフトレジスタ部１３２０に出力する。
【００７８】
１加算処理部１３１２は、内部にＤフリップフロップＦＦ２を備え、光検出画素駆動用制御部１２で生成したＹ軸座標情報１２６０を入力とし、１加算処理を行う。
１加算処理部１３１２は、１加算処理した結果を、ＡＮＤ素子１３０１にて生成される出力信号に同期して保持する。
１加算処理部１３１２は、保持している値を、Ｙ値１３１４としてシフトレジスタ部１３２０に出力する。
【００７９】
Ｘ値１３１３およびＹ値１３１４の生成方法は特に限定する必要はなく、この例では１加算処理を行っているが、ルックアップテーブルにて変換する方法を用いても良いし、マイコンにて生成してもよい。
値は０もしくはフルビットが１となる値を使わなければよい。
値０は、座標情報が検出されない場合であり、フルビットが１となる値は、インバータータイプの照明器具による場合だからである。
【００８０】
シフトレジスタ部１３２０は、シフトレジスタ１３２１により構成されている。
シフトレジスタ１３２１は、設定する水平と垂直の光検出画素数ｎとｍの和のビット数で構成される。
【００８１】
シフトレジスタ１３２１は、光検出画素駆動用制御部１２で生成したキャリア信号ｂＣａ１２４０をラッチ入力とし、Ｘ値１３１３とＹ値１３１４をレジスタへ取り込む入力として、ラッチ動作により取り込まれる。
シフトレジスタ１３２１は、ラッチデータを送り出すために使用するクロックはＡＮＤ素子１３０１にて生成される出力信号が用いられ、出力として信号ＬＥＤ＿Ｓｉｇ１３４０を得る。
【００８２】
取り込む際のデータの並べ方は、信号処理部８より出力される触れ信号に示し合わせていれば、特に規定はしない。
図６では、Ｘ値を下位ビット、Ｙ値を上位ビットとし、Ｘ値の１ビット目から順に、送り出している。
【００８３】
間欠信号生成部１３３０は、間欠間隔数を設定する間欠数レジスタ１３３１と、設定する間欠間隔数がｋとするとｋまでカウントするｋ進カウンタ１３３２と、シフトレジスタ１３２１の出力とタイミングを合わせるためのＤフリップフロップ１３３３とにより構成される。
【００８４】
間欠間隔数レジスタ１３３１は、図示してはいないが、マイコンもしくはスイッチ等によって設定される。
【００８５】
ｋ進カウンタ１３３２は、ＡＮＤ素子１３０１にて生成される出力信号クロック端子に供給され、光検出画素駆動用制御部１２のｍ進カウンタ１２３２からのキャリア信号１２３３を入力としてカウントし、キャリア信号１３３３を出力する。
【００８６】
Ｄフリップフロップ１３３３は、クロック入力としてシフトレジスタ１３２１と同期して動作するため、キャリア信号ｂＣａ１２４０を入力し、ｋ進カウンタ１３３２の出力であるキャリア信号１３３３を入力して信号ＬＥＤ＿Ｅｎ１３５０を発光駆動部６に出力する。
【００８７】
信号ＬＥＤ＿Ｅｎ１３５０は、座標情報発光期間で、画像表示部１の有機ＥＬ発光素子１２３の消費電力を削減することが目的である。このため、信号ＬＥＤ＿Ｅｎ１３５０の生成方法を、カウンタを例に説明したが、特に、限定する必要はなく、マイコンで生成するなど他の方法を用いてもよい。
さらに、ｋ回に１回の動作をさせているが、必要に応じ、ｋ回に複数回の動作をさせてもよい。
【００８８】
＜光検出画素駆動部の構成＞
図７は、本実施形態に係るＸ軸光検出画素駆動部４、およびＹ軸光検出画素駆動部５の構成例を示す図である。
【００８９】
Ｘ軸光検出画素駆動部４は、図７に示すように、ＡＮＤ素子４０１、デコード部４１０、ラッチ部４２０、Ｘ軸光検出画素駆動信号生成部４３０、および光検出画素駆動間ギャップ発生部４４０により構成される。
【００９０】
ＡＮＤ素子４０１は、クロック生成部１０にて生成されたクロック４ＳｙｓＣｌｋ１０４０と主制御部１４にて生成される座標取得期間信号線１４２０を伝播された座標取得期間信号を入力とし、出力信号を生成する。
【００９１】
デコード部４１０は、デコーダ４１１およびＤフリップフロップ４１２により構成される。
【００９２】
デコーダ４１１は、光検出画素駆動用制御部１２のＸ軸座標情報１２５０を入力信号とし、そのデコード結果Ｄｅｃｏｄｅ＿ｘ０〜Ｄｅｃｏｄｅ＿ｘｎをＤフリップフロップ４１２に出力する。
【００９３】
Ｄフリップフロップ４１２は、ｎ個のＤフリップフロップにより構成される。
各Ｄフリップフロップは、ＡＮＤ素子４０１にて生成される出力信号をクロック入力とする。
各Ｄフリップフロップは、デコーダ４１１の出力Ｄｅｃｏｄｅ＿ｘ０〜Ｄｅｃｏｄｅ＿ｘｎをＡＮＤ素子４０１にて生成される出力信号に同期させて出力信号Ｄ＿ｘ０〜Ｄ＿ｘｎをラッチ部４２０に出力する。
【００９４】
ラッチ部４２０は、Ｄフリップフロップ部４２１により構成される。
Ｄフリップフロップ部４２１は、ｎ個のＤフリップフロップにより構成される。
各Ｄフリップフロップは、発光用制御部１３のシフトレジスタ１３２１と同期して動作するため、光検出画素駆動用制御部１２のキャリア信号ｂＣａ１２４０をクロック入力とする。
各Ｄフリップフロップは、Ｄフリップフロップ４１２の出力Ｄ＿ｘ０〜Ｄ＿ｘｎを入力として、キャリア信号ｂＣａ１２４０に同期させて信号Ｌ＿Ｄ＿ｘ０〜Ｌ＿Ｄ＿ｘｎをＸ軸光検出画素駆動信号生成部４３０に出力する。
【００９５】
Ｘ軸光検出画素駆動信号生成部４３０は、複数のＮＯＴ素子４３１および複数のＡＮＤ素子４３２により構成される。
ＮＯＴ素子４３１とＡＮＤ素子４３２は、ＮＯＴ素子とＡＮＤ素子を１組として、ｎ組により構成される。
【００９６】
ＮＯＴ素子４３１は、光検出画素駆動間ギャップ発生部４４０のギャップ信号４４４が入力に供給され、出力がＡＮＤ素子４３２の一方の入力に接続される。
ＡＮＤ素子４３２の他方の入力は、Ｄフリップフロップ４２１の出力Ｌ＿Ｄ＿ｘ０〜Ｌ＿Ｄ＿ｘｎに接続される。
ｎ個のＡＮＤ素子４３２の出力は、それぞれｎ本のＸ軸光検出画素制御線４５０に出力される。
【００９７】
光検出画素駆動間ギャップ発生部４４０は、Ｄフリップフロップ４４１、ＮＯＴ素子４４２、およびＡＮＤ素子４４３，４４４により構成される。
【００９８】
ＡＮＤ素子４４４は、クロック生成部１０にて生成されたクロックＳｙｓＣｌｋ１０２０と主制御部１４にて生成される座標取得期間信号線１４２０を伝播された座標取得期間信号を入力とし、出力信号を生成する。
Ｄフリップフロップ４４１は、ＡＮＤ素子４０１にて生成される出力信号を同期信号としてクロック入力とし、光検出画素駆動用制御部１２のキャリア信号ｂＣａ１２４０を入力として、出力がＡＮＤ素子４４３の一方の入力に接続されている。
ＮＯＴ素子４４２は、キャリア信号ｂＣａ１２４０を入力として、出力がＡＮＤ素子４４３の他方の入力に接続されている。
ＡＮＤ素子４４３は、Ｄフリップフロップ４４１の出力とＮＯＴ素子４４２の出力をＡＮＤ処理をして、ギャップ信号４４４を生成する。
ＡＮＤ素子４４３は、生成したギャップ信号４４４をＸ軸光検出画素駆動信号生成部４３０の複数のＮＯＴ素子４３１に供給する。
ギャップ信号４４４は、Ｙ軸光検出画素駆動部５にも供給される。
【００９９】
Ｙ軸光検出画素駆動部５は、図７に示すように、デコード部５１０、ラッチ部５２０、Ｙ軸光検出画素駆動信号生成部５３０、および光検出画素Ｘ軸出力信号線選択部５４０により構成される。
【０１００】
デコード部５１０は、デコーダ５１１およびＤフリップフロップ５１２により構成される。
【０１０１】
デコーダ５１１は、光検出画素駆動用制御部１２のＹ軸座標情報１２６０を入力信号とし、そのデコード結果Ｄｅｃｏｄｅ＿ｙ０〜Ｄｅｃｏｄｅ＿ｙｍをＤフリップフロップ５１２に出力する。
Ｄフリップフロップ５１２は、ｍ個のＤフリップフロップにより構成される。
各Ｄフリップフロップは、ＡＮＤ素子４０１にて生成される出力信号をクロック入力とする。
各Ｄフリップフロップ５１２は、デコーダ５１１の出力Ｄｅｃｏｄｅ＿ｙ０〜Ｄｅｃｏｄｅ＿ｙｍをクロック４ＳｙｓＣｌｋ１０４０に同期させて信号Ｄ＿ｙ０〜Ｄ＿ｙｍをラッチ部５２０に出力する。
【０１０２】
ラッチ部５２０は、Ｄフリップフロップ部５２１により構成される。
Ｄフリップフロップ部５２１は、ｎ個のＤフリップフロップにより構成される。
各Ｄフリップフロップは、発光用制御部１３のシフトレジスタ１３２１と同期して動作するため、光検出画素駆動用制御部１２のキャリア信号ｂＣａ１２４０をクロック入力とする。
各Ｄフリップフロップは、Ｄフリップフロップ５１２の出力Ｄ＿ｙ０〜Ｄ＿ｙｍを入力として、キャリア信号ｂＣａ１２４０に同期させて信号Ｌ＿Ｄ＿ｙ０〜Ｌ＿Ｄ＿ｙｍをＹ軸光検出画素駆動信号生成部５３０に出力する。
【０１０３】
Ｙ軸光検出画素駆動信号生成部５３０は、複数のＮＯＴ素子５３１および複数のＡＮＤ素子５３２により構成される。
ＮＯＴ素子５３１とＡＮＤ素子５３２は、ＮＯＴ素子とＡＮＤ素子を１組として、ｍ組により構成される。
【０１０４】
ＮＯＴ素子５３１は、光検出画素駆動間ギャップ発生部４４０のギャップ信号４４４が入力に供給され、出力がＡＮＤ素子５３２の一方の入力に接続される。
ＡＮＤ素子５３２の他方の入力は、Ｄフリップフロップ５２１の出力Ｌ＿Ｄ＿ｙ０〜Ｌ＿Ｄ＿ｙｍが供給される。
ＡＮＤ素子５３２の出力は、ｍ本のＹ軸光検出画素制御線１４７として出力される。
【０１０５】
光検出画素Ｘ軸出力信号線選択部５４０は、ｍ個のスイッチング素子１４６により構成される。
スイッチング素子１４６のゲートは、ｍ本あるＹ軸光検出画素制御線１４７−１〜１４７−ｍにそれぞれ接続されている。
スイッチング素子１４６の一端は、ｍ本ある図３および図４の画像表示部１の光検出画素Ｘ軸出力信号線１４３−１〜１４３−ｍにそれぞれ接続されている。
スイッチング素子１４６の残りの一端は、画像表示部１の光検出画素出力信号線１４８に接続される。
【０１０６】
＜発光駆動部の構成＞
図８は、本実施形態に係る発光駆動部６の構成例を示す図である。
【０１０７】
発光駆動部６は、図８に示すように、ＳｙｓＣｌｋ重畳部６１０、信号重畳部６２０、および発光制御出力部６３０により構成される。
なお、図８においては、ＳｙｓＣｌｋ重畳部６１０、信号重畳部６２０、および発光制御出力部６３０のトランジスタのＮタイプＦＥＴで構成した例を示しているが、同様の機能を実現する方法は、これに限定する必要は無い。
【０１０８】
ＳｙｓＣｌｋ重畳部６１０は、トランジスタ６１１をソースフォロワで構成しており、トランジスタ６１１のゲートにクロック生成部１０のＳｙｓＣｌｋ１０２０が入力され、ソースが抵抗６１２を通して接地電位ＧＮＤに接続されている。
トランジスタ６１１のドレインは信号重畳部６２０のトランジスタ６２１のソースと接続されている。
【０１０９】
信号重畳部６２０は、トランジスタ６２１およびＡＮＤ素子６２２により構成される。
トランジスタ６２１のベースはＡＮＤ素子６２２の出力が入力され、ドレインは電源に接続されている。
ＡＮＤ素子６２２の入力は、発光用制御部１３の信号ＬＥＤ＿Ｅｎ１３５０と信号ＬＥＤ＿Ｓｉｇ１３４０の供給ライン、並びに主制御部１４にて生成される座標取得期間信号を伝播する座標取得期間信号線１４２０に接続されている。
【０１１０】
発光制御出力部６３０は、ＯＲ素子６３１により構成されている。
ＯＲ素子６３１の入力は、トランジスタ６１１のソースフォロワ出力と、主制御部１４にて生成される座標取得期間信号を伝播する画像表示信号線１４１０が接続され、出力が発光制御信号線１３０に接続されている。
【０１１１】
＜クロック生成部の構成＞
図９は、本実施形態に係るクロック生成部１０の構成例を示す図である。
図１０は、図９のクロック生成部のタイミングチャートである。
【０１１２】
クロック生成部１０は、図８に示すように、システムクロックＳｙｓＣｌｋ１０２０をＱ分周するＱ分周部１０１０により構成される。
システムクロックＳｙｓＣｌｋ１０２０は、キャリー信号としての役割もあるため、インバータータイプの照明器具が発生する周波数より高い周波数、たとえば１００〜２００ｋＨｚ程度を使用する。
【０１１３】
図９および図１０では、例として４分周を使用している。
システムクロックＳｙｓＣｌｋ１０２０の一周期とＸ軸光検出画素駆動部４の光検出画素駆動間ギャップ発生部４４０で生成されるギャップ信号４４４の１パルス幅分とを合計した周期の倍以上の周期が、クロックとして使用される必要があるからである。
具体的には、システムクロックＳｙｓＣｌｋ１０２０の一周期とギャップ信号４４４の１パルス幅分とを合計した周期の倍以上の周期が、光検出画素駆動用制御部１２の座標ビット数生成部１２１０のクロックとして使用される必要があるためである。
【０１１４】
この条件を満たすことで、信号処理部８で生成される触れ信号を発光用制御部１３で生成される信号ＬＥＤ＿Ｓｉｇ１３４０と同じように復元できるためである。
今回の例では、ギャップ信号４４４の１パルスはシステムクロックＳｙｓＣｌｋ一周期分で生成している。
このため、システムクロックＳｙｓＣｌｋの一周期との合計が２倍のクロックＳｙｓＣｌｋで、その倍の周期はクロックＳｙｓＣｌｋの４倍の周期であるクロック４ＳｙｓＣｌｋ１０４が生成される。
【０１１５】
４分周部１０４０は、Ｄフリップフロップ１０１１およびＤフリップフロップ１０１２により構成される。
【０１１６】
Ｄフリップフロップ１０１１は、入力クロックとしてクロックＳｙｓＣｌｋ１０２０を使用し、クロックＳｙｓＣｌｋの２倍の周期をもつクロック２ＳｙｓＣｌｋ１０３０を生成する。クロック２ＳｙｓＣｌｋ１０３０の反転した出力は、Ｄフリップフロップ１０１１の入力に供給される。
Ｄフリップフロップ１０１２は、入力クロックとしてクロック２ＳｙｓＣｌｋ１０３０を使用し、クロック２ＳｙｓＣｌｋの２倍の周期（＝ＳｙｓＣｌｋの４倍の周期）をもつクロック４ＳｙｓＣｌｋ１０４０を生成する。クロック４ＳｙｓＣｌｋ１０４０の反転した出力は、Ｄフリップフロップ１０１２の入力に供給される。
【０１１７】
今回の例では、Ｄフリップフロップを用いた４分周器を示したが、クロックＳｙｓＣｌｋ１０２０の一周期とギャップ信号４４４の１パルス幅分とを合計した周期の倍以上の周期が生成できれば、特に限定はしない。
【０１１８】
＜信号処理部の構成＞
図１１は、本実施形態に係る信号処理部８の構成例を示す図である。
【０１１９】
信号処理部８は、ＡＮＤ素子８０１、プリアンプ（ＰｒｅＡｍｐ）部８１０、ＳｙｓＣｌｋ信号抽出部８２０、ＳｙｓＣｌｋ信号増幅部８３０、ＳｙｓＣｌｋ信号除去部８４０、座標信号整形部８５０、および座標イネーブル信号整形部８６０により構成される。
【０１２０】
ＡＮＤ素子８０１は、クロック生成部１０にて生成されたクロック４ＳｙｓＣｌｋ１０４０と主制御部１４にて生成される座標取得期間信号線１４２０を伝播された座標取得期間信号を入力とし、出力信号を生成する。
【０１２１】
ＰｒｅＡｍｐ部８１０は、光検出画素出力信号線１４８からの信号を電流−電圧変換し増幅する。
図１１は、ＰｒｅＡｍｐ部８１０として、ｎｐｎ型のトランジスタ８１１で電流電圧変換および増幅をする例を示す。
【０１２２】
トランジスタ８１１は抵抗８１３を介してエミッタ接地されており、ベースにバイアス抵抗８１２が接続され、光検出画素出力信号線１４８からの電流を電圧に変換し、コレクタに出力する。トランジスタ８１１のコレクタは電源に接続されている。
【０１２３】
ＳｙｓＣｌｋ信号抽出部８２０は、トランジスタ８１１のコレクタからの出力電圧信号を入力として、クロックＳｙｓＣｌｋ信号を抽出するため、ＳｙｓＣｌｋ信号のみを通すバンドパスフィルタ（ＢＰＦ）８２１により構成されている。
【０１２４】
ＳｙｓＣｌｋ信号増幅部８３０は、増幅器（Ａｍｐ）８３１により構成されており、ＢＰＦ８２１からの出力を入力として、座標信号整形部８５０で認識可能なレベルまで増幅する。
【０１２５】
ＳｙｓＣｌｋ信号除去部８４０は、ローパスフィルター（ＬＰＦ）８４１により構成されており、Ａｍｐ８３１からの出力を入力としており、ＳｙｓＣｌｋ信号の周波数成分を除去し、座標信号を通す。
【０１２６】
座標信号整形部８５０は、Ｄフリップフロップ８５１により構成されている。
座標信号整形部８５０は、ＬＰＦ８４１の出力を入力として、ＡＮＤ素子８０１にて生成される出力信号を入力クロックとして、ＡＮＤ素子８０１にて生成される出力信号に同期させて、触れ信号８８０を出力する。
【０１２７】
座標イネーブル信号整形部８６０は、Ｄフリップフロップ８６１により構成されている。
座標イネーブル信号整形部８６０は、発光用制御部１３の出力信号ＬＥＤ＿Ｅｎ１３５０を入力信号として、ＡＮＤ素子８０１にて生成される出力信号を入力クロックとする。
座標イネーブル信号整形部８６０は、ＡＮＤ素子８０１にて生成される出力信号に同期させて、イネーブル信号Ｅｎａｂｌｅ８７０を出力する。
ＡＮＤ素子８０１にて生成される出力信号は、触れ信号８８０、イネーブル信号Ｅｎａｂｌｅ８７０の同期クロックＳＣｌｋ８９０として使用される。
【０１２８】
上記説明では、一般的な構成例を図示し説明したが、光検出画素からの電流信号を電圧に変換し、その信号の中からシステムクロックＳｙｓＣｌｋ信号を抽出し、システムクロックＳｙｓＣｌｋ信号を除去して、座標信号を取り出すという工程が重要である。
【０１２９】
以上、各部の具体的な構成および機能について説明した。
以下に、発光制御用信号の生成動作、光検出画素駆動部の動作、信号処理部８にて触れ信号８８０を出力するまでの動作等について説明する。
【０１３０】
＜ＬＥＤ＿Ｓｉｇの生成動作＞
次に、発光用制御部１３における信号ＬＥＤ＿Ｓｉｇの生成動作について説明する。
【０１３１】
図１２は、発光用制御部１３におけるＬＥＤ＿Ｓｉｇ生成のタイミングチャートである。
【０１３２】
図６および図１２において、座標ビット数生成部１２１０のｊ進カウンタ１２１２は、ＡＮＤ素子１２１３の出力信号を入力として、ｊまでカウントする。
ｊ進カウンタ１２１２は、ｊまでカウントするとキャリア信号ｂＣａ１２４０を生成する。図１２において、ローレベル（Ｌ）からハイレベル（Ｈ）へクロック４ＳｙｓＣｌｋ１周期分のパルス幅をもつパルスを生成する。
Ｘ座標生成部１２２０のｎ進カウンタ１２２２は、ＡＮＤ素子１２１３の出力信号を同期クロックとして、ｊ進カウンタからのキャリア信号ｂＣａ１２４０を入力としてカウントアップし、Ｘ軸座標情報１２６０とキャリア信号１２２３を生成する。
キャリア信号１２２３は、クロック４ＳｙｓＣｌｋ１周期分のパルス幅をもつパルス信号である。
【０１３３】
Ｙ座標生成部１２３０のｍ進カウンタ１２３２は、ＡＮＤ素子１２１３の出力信号を同期クロックとして、ｊ進カウンタからのキャリア信号ｂＣａ１２４０とｍ進カウンタからのキャリア信号１２２３を入力としてカウントアップする。
そして、Ｙ座標生成部１２３０は、Ｙ軸座標情報１２５０とキャリア信号１２３３を生成する。
キャリア信号１２３３は、クロック４ＳｙｓＣｌｋ１周期分のパルス幅をもつパルス信号である。
発光用制御部１３の座標情報変換部１３１０にて、Ｘ軸座標情報１２５０とＹ軸座標情報は１加算され、ＡＮＤ素子１２１３の出力信号に同期して動作し、Ｘ値１３１３とＹ値１３１４を生成する。
【０１３４】
シフトレジスタ部１３２０では、キャリア信号ｂＣａ１２４０の立下りに同期してＸ値１３１３を下位ビットに、Ｙ値１３１４を上位ビットに取り込む。
そして、シフトレジスタ部１３２０においては、ＡＮＤ素子１３０１の出力信号に同期して、Ｘ値の０ビット目より順番にＸ値、Ｙ値が信号ＬＥＤ＿Ｓｉｇ１３４０として送り出される。
シフトレジスタ部１３２０においては、Ｘ値、Ｙ値が一通り送り出し終えると、次のＸ値、Ｙ値が送り出されていく。
【０１３５】
図１２において、Ｘ値：１、Ｙ値：１がシフトレジスタより送り出され、終えた後は、Ｘ値：２、Ｙ値：１が送り出されており、それが送り出し終えると、Ｘ値：３、Ｙ値：１がというようにである。
【０１３６】
＜ＬＥＤ＿Ｅｎの生成動作＞
次に、発光用制御部１３におけるＬＥＤ＿Ｅｎの動作について説明する。
【０１３７】
図１３は、発光用制御部１３におけるＬＥＤ＿Ｅｎ生成のタイミングチャートである。
【０１３８】
図６および図１３において、間欠信号生成部１３３０のｋ進カウンタ１３３２は、ＡＮＤ素子１３０１の出力信号を同期クロックとして、ｍ進カウンタからのキャリア信号１２３３を入力としてカウントアップし、キャリア信号１３３３を生成する。
このキャリア信号１３３３は、ｋカウント目の間ハイレベル（Ｈ）を維持する信号である。
キャリア信号１３３３は、Ｄフリップフロップ１３３３にて、キャリア信号ｂＣａ１２４０を同期クロックとして取り込まれ、信号ＬＥＤ＿Ｅｎ１３５０が生成される。
【０１３９】
次に、触れている部分を検出するまでの検出動作について説明する。
ここでは、図１４に示すように、画像表示部１の光検出画素１４０を４画素分指が触れている場合を例に説明する。
【０１４０】
まず、光検出画素駆動部の動作について図１５に関連付けて説明する。
【０１４１】
図１５は、光検出画素駆動部のＸ軸の０ビット目のタイミングチャートである。
【０１４２】
図７、図１４、および図１５において、Ｘ座標情報１２５０が値００を出力しているときは、デコード部４１０のデコーダ４１１は、デコード結果として、０ビット目の信号線Ｄｅｃｏｄｅ＿ｘ０をハイレベル（Ｈ）に生成する。
その後、Ｄフリップフロップ４１２はＡＮＤ素子４０１の出力信号に同期して動作するため、Ｄフリップフロップ４１２にて、ＡＮＤ素子４０１の出力信号に同期した信号Ｄ＿ｘ０が生成される。
信号Ｄ＿ｘ０は、ラッチ部４２０にてキャリア信号ｂＣａ１２４０に同期してラッチされ、信号Ｌ＿Ｄ＿ｘ０が生成される。
【０１４３】
光検出画素駆動間ギャップ発生部４４０にて、キャリア信号ｂＣａ１２４０からシステムクロックＳｙｓＣｌｋ１周期分のパルス幅となるギャップ信号４４４を生成する。
Ｘ軸光検出画素駆動信号生成部４３０にて、信号Ｌ＿Ｄ＿Ｘ０とギャップ信号４４４を合成し、Ｘ軸光検出画素制御線（１）への信号が生成される。
Ｘ軸の他のビットおよび、Ｙ軸についても同様の動作を行い、Ｘ軸光検出画素制御線および、Ｙ軸光検出画素制御線への信号が生成される。
【０１４４】
次に、信号処理部８にて触れ信号８８０を出力するまでの動作について図１６に関連付けて説明する。
図１６は、信号処理部８にて触れ信号８８０を出力するまでのタイミングチャートである。
【０１４５】
図１１、図１４、および図１６において、信号ＬＥＤ＿Ｓｉｇ１３４０は、信号ＬＥＤ＿Ｅｎ１３５０がハイレベル（Ｈ）の期間のみ、発光駆動部６にて生成された発光制御信号を通して、有機ＥＬ素子１２３により出力される。
その際、有機ＥＬ素子１２３は、システムクロックＳｙｓＣｌｋ１０２０を重畳して発光する。
【０１４６】
一方、図１４に示すように（Ｘ座標、Ｙ座標）が（１、１）、（２、１）、（１、２）、（２、２）の部分の光検出画素１４０が指で覆われていたとすると、有機ＥＬ素子１２３より放出された光は反射されて、各光検出画素１４０より取り込まれる。
光検出画素１４０により取り込まれた光は電流もしくは電圧値へ変換される。
変換された電流もしくは、電圧値は、Ｘ軸光検出画素駆動部４にて該当するタイミングでＸ軸光検出画素制御線１４５がハイレベル（Ｈ）となることで、Ｘ軸出力選択トランジスタ１４２がオンし、光検出画素Ｘ軸出力信号線１４３に転送される。
【０１４７】
Ｙ軸光検出画素制御線１４７も該当するタイミングでハイレベル（Ｈ）となることで、Ｙ軸出力選択トランジスタ１４６がオンとなり、光検出画素Ｘ軸出力信号線１４３の信号電流もしくは信号電圧は、光検出画素出力信号線１４８に転送される。
【０１４８】
たとえば、（１、１）の信号（０１０１）が発光しているタイミングでは、Ｘ軸光検出画素制御線１４５−１がハイレベル（Ｈ）となり、Ｙ軸光検出画素制御線１４７−１がハイレベル（Ｈ）となる。
有機ＥＬ素子１２３は（０１０１）にシステムクロックＳｙｓＣｌｋを重畳した発光をし、指等にてその発光光が反射されるため、光検出画素出力信号線１４８にはそのときの信号が現れる。
同様に、（２、１）の信号（１００１）が発光しているタイミングでは、Ｘ軸光検出画素制御線１４５−２がハイレベル（Ｈ）となり、Ｙ軸光検出画素制御線１４７−１がハイレベル（Ｈ）となる。
有機ＥＬ素子１２３は（１００１）にシステククロックＳｙｓＣｌｋを重畳した発光をし、指等にてその発光光が反射されるため、その時の信号が光検出画素出力信号線１４８に現れる。
光検出画素出力信号線１４８の信号は、信号処理部８のＰｒｅＡｍｐ部８１０にて、電流の場合は電流電圧変換を行い、信号を増幅して出力する。
ＰｒｅＡｍｐ部８１０の出力信号において、システムクロックＳｙｓＣｌｋを検波するためＢＰＦ８２１にてシステムクロックＳｙｓＣｌｋを抽出する。
【０１４９】
ＢＰＦ８２１にて抽出されたシステムクロックＳｙｓＣｌｋの信号を座標整形部８５０で検知できるレベルまでＡｍｐ８３１にて増幅する。
Ａｍｐ８３１の出力信号からＳｙｓＣｌｋを除去するため、ＬＰＦ８４１を通す。
ＬＰＦ８４１にてシステムクロックＳｙｓＣｌｋを除去することで、座標情報である（０１０１）や（１００１）の信号を取り出すことができる。
座標信号整形部８５０では、ＬＰＦ８４１からの信号をクロック４ＳｙｓＣｌｋ１０４０に同期させて保持することで、触れ信号８８０が生成される。
【０１５０】
［第２実施形態］
次に、本発明の第２の実施形態に係る画像表示装置について説明する。
図１７は、本発明の第２の実施形態に係る画像表示装置を示す図である。
図１８は、本第２の実施形態において検出される触れ信号の例を示す図である。
【０１５１】
本第２の実施形態は、上述した第１の実施形態に対して、画素表示部１の周縁部のブラックマトリックス部１０１に光検出画素１４０ａ（スタート部）と１４０ｂ（エンド部）を付加している。
【０１５２】
Ｙ軸方向に対して、スタート光検出画素とエンド光検出画素を付加することで、確実に、各Ｙ軸の信号を確認することができる。
【０１５３】
表示画素１２０ａ（スタート部）、表示画素１２０ｂ（エンド部）、光検出画素（スタート部）１４０ａ、（エンド部）１４０ｂは、ブラックマトリックス部１０１の直下に配置されている。
このため、必ず、表示画素（スタート部）１２０ａの有機ＥＬ素子１２３ａと表示画素（エンド部１２０ｂの有機ＥＬ素子１２３ｂの発光光が反射される。
そのため、発光用制御部１３の座標情報変換部１３１０にて、Ｘ値１３１３に乗せる信号に光検出画素（スタート部）１４０ａと（エンド部）１４０ｂに固有値１および固有値２を与える。
そして、ｎ進カウンタ１２２２を（ｎ＋２）進カウンタとし、１加算処理部１３１１にて１加算処理をスルーすることで、実現できる。
【０１５４】
図１７では座標（２、２）に指が触れているので、図１８の触れ信号には各Ｙ軸のスタート部とエンド部の信号の他に（２、２）の値が乗っている。
【０１５５】
図１９は、一般的な発光用信号ＬＥＤ＿Ｓｉｇに乗せる値と触れ信号で出力される値のパターンを示す図である。
図２０は、発光用信号ＬＥＤ＿Ｓｉｇに乗せる値と触れ信号の具体例を示す図である。図２０は、Ｘ軸光検出画素数が６４０個、Ｙ軸光検出画素数が４８０個の場合の例である。
【０１５６】
固有値１として９６５、固有値２として９６９を与える。
座標ビット数としてＸ軸座標を１０ビット、Ｙ軸座標を９ビットで表現する。
固有値１と固有値２はバイナリーでそれぞれ、固有値１＝９６５＝［１１１１０００１０１］ｂ、固有値２＝９６９＝［１１１１００１００１］ｂである。
下位４ビットを［０１０１］ｂもしくは［１０１０］ｂで構成することにより、パルス幅比をもとにした信号処理も可能となる。
【０１５７】
また、スタート部とエンド部に対称とならないビット配列を用いることで、スタート部とエンド部を確実に識別することが可能となる。
スタート部のＸ軸座標データとして固有値１を、エンド部のＸ軸座標データとして固有値２を用い、Ｙ軸座標データはそのままＹ値を用いることで、触れ信号からは、Ｙ軸値に応じたスタート部とエンド部が出力される。
【０１５８】
仮に今、座標（１、１）に触れている場合、発光用信号ＬＥＤ＿Ｓｉｇにより［１、１］が発光素子部６３０から発光する。
このため、触れ信号として［１、１］もしくは、［０００００００００１、００００００００１］ｂのシリアルデータをスタート部とエンド部の間に検出することができる。
【０１５９】
［第３実施形態］
本発明の第３の実施形態に係る画像表示装置について説明する。
図２１は、第３の実施形態に係る画像表示装置におけるＸ軸光検出画素駆動部４ＡおよびＹ軸光検出画素駆動部５の構成例を示す図である。
【０１６０】
図２１においては、Ｘ軸光検出画素駆動部４ＡのＸ軸光検出画素駆動信号生成部４３０Ａの構成が図６のＸ軸光検出画素駆動信号生成部４３０の構成と異なる。
【０１６１】
図２１において、発光用信号ＬＥＤ＿Ｓｉｇ１３４０と発光用イネーブル信号ＬＥＤ＿Ｅｎ１３５０をＸ軸光検出画素駆動部４ＡのＸ軸光検出画素駆動信号生成部４３０Ａの３入力ＡＮＤ素子４３３に入力する。
ＡＮＤ素子４３３の残りの入力がＡＮＤ素子４３２の出力に接続され、ＡＮＤ素子４３３の出力がＸ軸光検出画素制御線１４３に接続されている。
【０１６２】
図２２は、第３の実施形態に係る発光駆動部６Ｂの構成例を示す図である。
本第３の実施形態においては、発光駆動部６Ｂをバックライトとは異なるライトペンとしている。
したがって、図２２の発光駆動部６Ｂは、図７の発光駆動部６の信号重畳部６２０を削除した構成を有している。そして、発光素子部６４０が付加されている。
発光素子部６４０は、ＬＥＤ６４１、トランジスタ６４２、および抵抗６３３により構成されている。
ＬＥＤ６４１のアノードは電源へ接続され、カソードはトランジスタ６４２のドレインに接続されている。
トランジスタ６４２のベースはトランジスタ６１１のソースフォロワ出力に接続され、ソースはソース抵抗６３３を介して接地電位ＧＮＤに接続されている。
発光素子部６４０およびＬＥＤ６４１は、１組もしくは１個である必要は無く、必要に応じ複数組、もしくは複数個で構成される。
発光素子部６４０は有機ＥＬのような自発光素子においては、自発光素子そのものでもよい。
【０１６３】
図２３は、図１４において指が触れている領域を変わりにライトペンがあたっているとした場合のタイミングチャートである。
【０１６４】
図２３において、Ｘ軸光検出画素制御線４５０に出力される信号は、信号ＬＥＤ＿Ｓｉｇと信号ＬＥＤ＿Ｅｎの論理積により得られるので、１画素の間ハイレベル（Ｈ）を維持し続けずに、図２３中のＸ軸光検出画素制御線（１）のように動作する。
そのため、Ｘ軸出力選択トランジスタ１４２は本来であれば選択されている期間はオンを固定し続けるのであるが、信号ＬＥＤ＿Ｓｉｇと信号ＬＥＤ＿Ｅｎに従いオンオフ動作を行う。
Ｘ軸出力選択トランジスタ１４２のオンオフ動作により、光検出素子１４１の電流もしくは電圧が、信号処理部８に伝達されたり伝達されなかったりするため、光検出画素出力信号線には図２３のような信号が伝達される。
【０１６５】
しかし、信号処理部８では、ＳｙｓＣｌｋ信号抽出部８２０により、システムクロックＳｙｓＣｌｋ１０２０のみを抽出する処理を行う。このため、以降の波形は図１８と同様となり、触れ信号として座標信号を取得することができる。
【０１６６】
［第４実施形態］
本発明の第４の実施形態に係る画像表示装置について説明する。
第４の実施形態において、Ｘ軸光検出画素駆動部４Ａは図２１と同一の回路を用いる。
また、図２４は、第４の実施形態に係る発光駆動部６Ｃの構成例を示す図である。
【０１６７】
また、発光駆動部６Ｃは、図２２の発光駆動部６Ｂであるライトペンの光と、図２３に示すように、クロックＳｙｓＣｌｋ１０２０とは異なる周波数のクロックＳｙｓＣｌｋａ１０２０ａをトランジスタ６１１のベースに入力する。
【０１６８】
図２５は、第４の実施形態に係る発光駆動部６Ｃで使用するクロックを生成するクロック生成部１０Ｃの構成例を示す図である。
【０１６９】
クロック生成部１０Ｃは、基本的に、図９のクロック生成部１０と同様も構成を有し、ＳｙｓＣｌｋ１０２０とは異なる周波数ＳｙｓＣｌｋａ１０２０ａを４分周した信号４ＳｙｓＣｌｋａ１０４０ａを生成する。
【０１７０】
図２６は、第４の実施形態に係る信号処理部８Ｃの構成例を示す図である。
【０１７１】
図２６の信号処理部８Ｃは、２種類のクロックＳｙｓＣｌｋ１０２０とクロックＳｙｓＣｌｋａ１０２０ａで動作するシステムとして構成されている。
【０１７２】
光検出画素出力信号線１４８をＰｒｅＡｍｐ部８１０にて電流電圧変換し増幅したあと、それぞれのＳｙｓＣｌｋ信号抽出部８２０とＳｙｓＣｌｋ信号抽出部８２０ａを通すことで、ＳｙｓＣｌｋ１０２０とＳｙｓＣｌｋａ１０２０ａを取り出すことができる。
後段のＳｙｓＣｌｋ信号除去部８４０とＳｙｓＣｌｋ信号除去部８４０ａにて、それぞれ、クロックＳｙｓＣｌｋ１０２０とＳｙｓＣｌｋａ１０２０ａを除去することで、座標信号情報を得ることができる。
後段のＤフリップフロップ８６１、８５１、並びにＤフリップフロップ８６１ａ，８５１ａは、それぞれのＡＮＤ素子８０１にて生成される出力信号と、ＡＮＤ素子８０１ａにて生成される出力信号で同期させる。
ＡＮＤ素子８０１は、クロック生成部１０にて生成されるクロック４ＳｙｓＣｌｋ１０４０と、主制御部１４にて生成される座標取得期間信号線１４２０を伝播された座標取得期間信号を入力として、出力信号を生成する。
ＡＮＤ素子８０１ａは、クロック生成部１０Ｃにて生成されるクロック４ＳｙｓＣｌｋａ１０４０ａと、主制御部１４にて生成される座標取得期間信号線１４２０を伝播された座標取得期間信号を入力として、出力信号を生成する。
このようにすることで、ライトペンでの座標入力と指の座標入力をそれぞれ同時に得ることができる。
【０１７３】
なお、図２５において、ＳｙｓＣｌｋ信号抽出部８２０ａはＢＰＦ８２１ａにより形成され、ＳｙｓＣｌｋ信号除去部８４０ａはＬＰＦ８４１ａにより形成される。
【０１７４】
［第５実施形態］
次に、本発明の第１〜第４の実施形態に係る画像表示装置を適用可能なデジタルカメラを第５の実施形態として説明する。
【０１７５】
図２７は、本発明の第５の実施形態に係るデジタルカメラの構成例を示すブロック図である。
【０１７６】
図２７のデジタルカメラ１００００は、レンズ１０１００、イメージャー１０２００、カメラ信号処理部１０３００、カメラ駆動制御部１０４００、信号処理部１０５００、外部端子１０６００、ＥＶＦ１０７００、および本表示装置１０８００を有する。
また、デジタルカメラ１００００は、記録メディア１０９００、符号化復号化処理部１１０００、記録メディア制御部１１１００、メカ駆動制御部１１２００、マイクロフォン１１３００、音声信号処理部１１４００、およびスピーカー１１５００を有する。
さらに、デジタルカメラ１００００は、各種操作キー１１６００、マイコン１１７００、ＥＥＰＲＯＭ１１８００、フラッシュメモリ１１９００、ＳＤＲＡＭ１２０００、電源回路１２１００、バッテリー１２２００、およびＡＣプラグ１２３００を有する。
【０１７７】
レンズ１０１００、イメージャー１０２００を通して撮影した映像は、カメラ信号処理部１０３００にて、カメラ駆動制御部１０４００を調整しながら適切な画像データとして生成される。
生成された画像データは信号処理部１０５００を通して、外部端子１０６００から外部モニターへ映し出されたり、ＥＶＦ１０７００、本発明装置である表示装置１０８００に映し出される。
【０１７８】
また、記録メディア１０９００へは信号処理部１０５００からの画像データを符号化復号化処理部１１０００、記録メディア制御部１１１００を介して保存される。
記録メディア１０９００がたとえばＤＶＤなどの場合はメカ駆動制御部１１２００と符号化復号化処理部１１０００、記録メディア制御部１１１００と共に動作し保存される。
音声は内蔵マイクロフォン１１３００より音声信号処理部１１４００を通して画像データと重畳され、外部端子１０６００から外部モニター付属のスピーカーに出力される。また、その画像データは、符号化復号化処理部１１０００、記録メディア制御部１１１００を介して記録メディア１０９００に保存される。
【０１７９】
また、信号処理部１０５００から音声信号処理部１１４００を介して、内蔵スピーカー１１５００からも出力される。
記録メディア１０９００の保存データは記録メディア制御部１１１００、符号化復号化処理部１１０００を介して画像データとして取り出される。
そして、記録メディア１０９００の保存データは、信号処理部１０５００より本表示装置１０８００やＥＶＦ１０７００、もしくは外部端子１０６００から外部モニターへ映し出すことも可能である。
【０１８０】
音声については、外部端子１０６００から外部モニター付属のスピーカーに出力されたり、音声信号処理部１１４００を介して内蔵スピーカー１１５００から出力することも可能である。
本表示装置１０８００やＥＶＦ１０７００、もしくは外部端子１０６００を介したモニター画面を見ながら、撮影画像を制御したり、記録メディア１０９００に保存されているデータを制御したり、カメラの日付等の制御をすることも可能である。
これらの操作は、各種キー１１６００や本表示装置１０８００より行うことができ、各種キー１１６００や本表示装置１０８００の信号はマイコン１１７００で処理され各ブロックへ命令が行き渡り、各種動作や表示が行われる。
【０１８１】
ＥＥＰＲＯＭ１１８００には、デジタルカメラに必要な設定値が保存されている。
ＦＬＡＳＨ１１９００には、マイコン１１７００の動作に必要なプログラムが保存されていたり、内蔵メモリとして使用される。
ＳＤＲＡＭ１２０００はバッファメモリとして使用される。
電源部として電源回路１２１００および、バッテリー１２２００、ＡＣプラグ１２３００を備えている。
【０１８２】
本表示装置における、光検出画素駆動用制御部１２および、発光用制御部１３、クロック生成部１０はマイコン１１７００にて形成することも可能である。
デジタルカメラのように、撮影中の画像や、撮影した画像を表示している場合は、座標情報を取得する機会が少ないため、また、誤動作防止のためマイコン１１７００から本表示装置１０８００内の有機ＥＬ素子１２３の座標情報取得期間の発光素子部６３０を停止する。
発光用制御部１３がマイコン１１７０００にあることにより、発光駆動部６に送出している座標取得期間信号をローレベル（Ｌ）とすることで実現できる。
また、座標情報を取得する機会時のみに限定すると、必ずしも画質にこだわる必要が無い場合、たとえば、メニュー画面を表示している場合などがある。
このため、その場合は、画像表示期間と座標情報発光期間を分けずに、画像表示と座標情報発光を同時に行うことも可能である。
液晶表示素子のように応答速度が遅い表示装置においては、有効な手段であり、画像は明るめの内容で構成し、バックライトの発光動作を、画像表示期間と座標情報発光期間とに分けて発光動作を行っても良い。また、画像表示期間と座標情報発光を同時に行うことでも実現できる。
【０１８３】
以上説明したように、本発明の実施形態によれば、座標情報取得のために特別な発光素子を設けずに、画像表示期間と座標情報発光期間を分け、座標情報発光期間中に座標情報を送り出す機構と信号処理を入れることにより、座標情報を取得することが可能となる。
座標情報を取得する上で、インバータータイプの照明器具を含めた外光の影響を受けることがなく、信号処理は、一般的な輝度信号を用いた信号処理より簡単な方法で実現でき、座標情報取得発光時は、間欠動作での点灯状態となるため、消費電力を抑えた表示装置を実現できる。
さらには、発光素子自体の長寿命化へも貢献できる。
また、ペンライトからの光か表示装置からの反射光かを検出し、それぞれの座標情報を出力することが可能である。
また、本発明を用いた装置において、タッチパネルを組み合わせて使う既存の装置と比較し、画質の低下を抑え、薄型化、軽量化に寄与できる。さらに、座標情報が不要な場合、座標情報取得期間の発光を停止させる機能を持たせることで、表示装置による消費電力を抑え、かつ、誤操作を抑えることができる。
【０１８４】
さらに、本発明を用いた装置の状況を考慮すると、座標情報の取得時、必ずしも画質を優先する必要が無い場合があり、その場合は、画像表示期間と座標情報発光期間を分けずに、画像表示と座標情報発光を同時に行うことも可能である。
液晶表示素子のように応答速度が遅い表示装置においては、有効な手段であり、画像は明るめの内容で構成し、バックライトの発光動作を、画像表示期間と座標情報発光期間とに分けて発光動作を行っても良い。
また、画像表示期間と座標情報発光を同時に行うことでも実現でき、座標情報取得時は、常時点灯から間欠動作での点灯状態となるため、消費電力への貢献が期待でき、更には、発光素子自体の長寿命化へ貢献できる。
【０１８５】
本実施形態に係る表示装置は、図２８〜図３２に示す様々な電子機器、たとえば、デジタルカメラ、ノート型パーソナルコンピュータ、携帯電話等の携帯端末装置(モバイル機器)、デスクトップ型パーソナルコンピュータ、ビデオカメラなどに適用可能である。
本表示装置は、電子機器に入力された映像信号、若しくは、電子機器内で生成した映像信号を、画像若しくは映像として表示するあらゆる分野の電子機器の表示装置に適用することが可能である。
以下に、本実施形態が適用される電子機器の一例について説明する。
【０１８６】
図２８は、本実施形態が適用されるテレビジョンを示す斜視図である。
本適用例に係るテレビジョン１０５００は、フロントパネル１０５２０やフィルタガラス１０５３０等から構成される映像表示画面部１０５１０を含む。
そして、その映像表示画面部１０５１０として本実施形態に係る表示装置を用いることにより作製される。
【０１８７】
図２９は、本実施形態が適用されるデジタルカメラを示す斜視図である。図２９（Ａ）は表側から見た斜視図、図２９（Ｂ）は裏側から見た斜視図である。
【０１８８】
本適用例に係るデジタルカメラ１０５００Ａは、フラッシュ１０５１１、表示部１０５１２、メニュースイッチ１０５１３、シャッターボタン１０５１４等を含む。
そして、その表示部１０５１２として本実施形態に係る表示装置を用いることにより作製される。
【０１８９】
図３０は、本実施形態が適用されるノート型パーソナルコンピュータを示す斜視図である。
【０１９０】
本適用例に係るノート型パーソナルコンピュータ１０５００Ｂは、本体１０５２１に、文字等を入力するとき操作されるキーボード１０５２２、画像を表示する表示部１０５２３等を含む。
そして、その表示部１０５２３として本実施形態に係る表示装置を用いることにより作製される。
【０１９１】
図３１は、本実施形態が適用されるビデオカメラを示す斜視図である。
【０１９２】
本適用例に係るビデオカメラ１０５００Ｃは、本体部１０５３１、前方を向いた側面に被写体撮影用のレンズ１０５３２、撮影時のスタート／ストップスイッチ１０５３３、表示部１０５３４等を含む。
そして、その表示部１０５３４として本実施形態に係る表示装置を用いることにより作製される。
【０１９３】
図３２は、本実施形態が適用される携帯端末装置、たとえば携帯電話機を示す図である。
図３２（Ａ）は開いた状態での正面図、図３２（Ｂ）はその側面図、図３２（Ｃ）は閉じた状態での正面図、図３２（Ｄ）は左側面図、図３２（Ｅ）は右側面図、図３２（Ｆ）は上面図、および図３２（Ｇ）は下面図である。
【０１９４】
本適用例に係る携帯電話機１０５００Ｄは、上側筐体１０５４１、下側筐体１０５４２、連結部（ここではヒンジ部）１０５４３、ディスプレイ１０５４４、サブディスプレイ１０５４５、ピクチャーライト１０５４６、カメラ１０５４７等を含む。
そして、そのディスプレイ１０５４４やサブディスプレイ１０５４５として本実施形態に係る表示装置を用いることにより作製される。
【図面の簡単な説明】
【０１９５】
【図１】光センサ素子を表示素子領域中に備えた表示装置の検出処理を説明するための図である。
【図２】本発明の第２の実施形態に係る画像表示装置の構成例を示すブロック図である。
【図３】本実施形態に係る画像表示部の構成例を示す第１図である。
【図４】本実施形態に係る画像表示部の構成例を示す第２図である。
【図５】本実施形態に係る表示画素の発光におけるタイミングチャートである。
【図６】本実施形態に係る制御部の光検出画素駆動用制御部、および発光用制御部の構成例を示す図である。
【図７】本実施形態に係るＸ軸光検出画素駆動部、およびＹ軸光検出画素駆動部の構成例を示す図である。
【図８】本実施形態に係る発光駆動部の構成例を示す図である。
【図９】本実施形態に係るクロック生成部の構成例を示す図である。
【図１０】図９のクロック生成部のタイミングチャートである。
【図１１】本実施形態に係る信号処理部の構成例を示す図である。
【図１２】発光用制御部におけるＬＥＤ＿Ｓｉｇ生成のタイミングチャートである。
【図１３】発光用制御部におけるＬＥＤ＿Ｅｎ生成のタイミングチャートである。
【図１４】画像表示部の光検出画素を４画素分指が触れている場合の例を示す図である。
【図１５】光検出画素駆動部のＸ軸の０ビット目のタイミングチャートである。
【図１６】信号発生部にて触れ信号を出力するまでのタイミングチャートである。
【図１７】本発明の第２の実施形態に係る画像表示装置を示す図である。
【図１８】本第２の実施形態において検出される触れ信号の例を示す図である。
【図１９】一般的な発光用信号ＬＥＤ＿Ｓｉｇに乗せる値と触れ信号で出力される値のパターンを示す図である。
【図２０】発光用信号ＬＥＤ＿Ｓｉｇに乗せる値と触れ信号の具体例を示す図である。
【図２１】第３の実施形態に係る画像表示装置におけるＸ軸光検出画素駆動部およびＹ軸光検出画素駆動部の構成例を示す図である。
【図２２】第３の実施形態に係る発光駆動部の構成例を示す図である。
【図２３】図１３において指が触れている領域を変わりにライトペンがあたっているとした場合のタイミングチャートである。
【図２４】第４の実施形態に係る発光部の構成例を示す図である。
【図２５】第４の実施形態に係る発光部で使用するクロックを生成するクロック生成部の構成例を示す図である。
【図２６】第４の実施形態に係る信号処理部の構成例を示す図である。
【図２７】本発明の第５の実施形態に係るデジタルカメラの構成例を示すブロック図である。
【図２８】本実施形態が適用されるテレビを示す斜視図である。
【図２９】本実施形態が適用されるデジタルカメラを示す斜視図である。
【図３０】本実施形態が適用されるノート型パーソナルコンピュータを示す斜視図である。
【図３１】本実施形態が適用されるビデオカメラを示す斜視図である。
【図３２】本実施形態が適用される携帯端末装置、たとえば携帯電話機を示す図である。
【符号の説明】
【０１９６】
ＤＳＰ・・・画像表示装置、１・・・画像表示部、２・・・信号線駆動部、３・・・走査線駆動部、４・・・Ｘ軸光検出画素駆動部、５・・・Ｙ軸光検出画素駆動部、６・・・発光駆動部、７・・・制御部、８・・・信号処理部、１０・・・クロック生成部、１２０・・・表示画素、１４０・・・光検出画素、１４１・・・光検出素子。
【図１】
2010019915.tif 000003
【図２】
2010019915.tif 000004
【図３】
2010019915.tif 000005
【図４】
2010019915.tif 000006
【図５】
2010019915.tif 000007
【図６】
2010019915.tif 000008
【図７】
2010019915.tif 000009
【図８】
2010019915.tif 000010
【図９】
2010019915.tif 000011
【図１０】
2010019915.tif 000012
【図１１】
2010019915.tif 000013
【図１２】
2010019915.tif 000014
【図１３】
2010019915.tif 000015
【図１４】
2010019915.tif 000016
【図１５】
2010019915.tif 000017
【図１６】
2010019915.tif 000018
【図１７】
2010019915.tif 000019
【図１８】
2010019915.tif 000020
【図１９】
2010019915.tif 000021
【図２０】
2010019915.tif 000022
【図２１】
2010019915.tif 000023
【図２２】
2010019915.tif 000024
【図２３】
2010019915.tif 000025
【図２４】
2010019915.tif 000026
【図２５】
2010019915.tif 000027
【図２６】
2010019915.tif 000028
【図２７】
2010019915.tif 000029
【図２８】
2010019915.tif 000030
【図２９】
2010019915.tif 000031
【図３０】
2010019915.tif 000032
【図３１】
2010019915.tif 000033
【図３２】
2010019915.tif 000034